(57)【要約】【課題】交流電圧についての相順と電圧値を測定して表示すると共に装置の小型化も行う。【解決手段】照明可能な液晶パネル３１を有する表示部７と、交流電圧を検出して波形データＤｖａ〜Ｄｖｃを出力する検出部２〜４と、波形データＤｖａ〜Ｄｖｃに基づいて交流電圧の電圧値を測定する電圧測定処理および測定した電圧値を表示部７に表示させる表示処理を実行する処理部６とを備え、表示部７は、複数色のうちの処理部６によって選択された色の照明光で液晶パネル３１を照明可能に構成され、処理部６は、波形データＤｖａ〜Ｄｖｃに基づいて三相電路の相順を測定する相順測定処理を実行すると共に、表示処理において、測定した相順が正相のときには正相色の照明光で、一方、相順が逆相のときには逆相色の照明光で表示部７に対して液晶パネル３１を照明させる。【選択図】図２
2017133914.tif 000002
【特許請求の範囲】
【請求項１】
照明可能な表示パネルを有する表示部と、三相電路についての交流電圧を検出して検出信号を出力する検出部と、前記検出信号に基づいて前記交流電圧の電圧値を測定する電圧測定処理および当該測定した電圧値を前記表示パネルに表示させる表示処理を実行する処理部とを備えている測定装置であって、
前記表示部は、複数色のうちの前記処理部によって選択された色の照明光で前記表示パネルを照明可能に構成され、
前記処理部は、前記検出信号に基づいて前記三相電路の相順を測定する相順測定処理を実行すると共に、前記表示処理において、当該測定した相順が正相のときには前記表示部に対して前記複数色のうちの予め正相に対応付けられた正相色の前記照明光で前記表示パネルを照明させ、前記測定した相順が逆相のときには前記表示部に対して前記複数色のうちの予め逆相に対応付けられた前記正相色とは異なる逆相色で前記表示パネルを照明させる測定装置。
【請求項２】
ドットマトリクス方式のカラー表示パネルを有する表示部と、三相電路についての交流電圧を検出して検出信号を出力する検出部と、前記検出信号に基づいて前記交流電圧の電圧値を測定する電圧測定処理および当該測定した電圧値を示す画像を前記カラー表示パネルに表示させる表示処理を実行する処理部とを備えている測定装置であって、
前記処理部は、前記検出信号に基づいて前記三相電路の相順を測定する相順測定処理を実行すると共に、前記表示処理において、前記カラー表示パネルに表示されている予め規定された画像の色を、前記測定した相順が正相のときには予め正相に対応付けられた正相色で表示させ、前記測定した相順が逆相のときには予め逆相に対応付けられた前記正相色とは異なる逆相色で表示させる測定装置。
【請求項３】
前記処理部は、単色の背景画像を前記予め規定された画像とする請求項２記載の測定装置。
【請求項４】
前記処理部は、前記電圧測定処理の実行中は、当該電圧測定処理の実行中を示す記号を、視認し得る周期で前記表示パネルに点滅表示させる請求項１記載の測定装置。
【請求項５】
前記処理部は、前記電圧測定処理の実行中は、当該電圧測定処理の実行中を示す記号の画像を、視認し得る周期で色を変えて前記カラー表示パネルに表示させる請求項２または３記載の測定装置。
【発明の詳細な説明】
【技術分野】
【０００１】
本発明は、三相電路の交流電圧についての相順と電圧値を測定して表示する測定装置に関するものである。
【背景技術】
【０００２】
この種の測定装置として、下記の特許文献１に開示された電圧・検相器が知られている。この電圧・検相器は、電圧および相順（相回転）を測定表示する電圧・検相器であって、三相の相順を検知して正相または逆相を表示する検相回路と、この検相回路から三相を分岐させて各相間電圧を測定し表示すると共に別設の接地相と三相各相の対地電圧を切替スイッチにより測定し表示する電圧計測回路と、これらの回路に電源を供給する電源回路とを箱本体に内蔵し、この箱本体の側面に検相器のＲ相、Ｓ相（Ｎ相）、Ｔ相の単相・三相の端子および電圧回路の接地相であるＥ相の端子、相間・対地間電圧の切替スイッチ、および電源回路の電源スイッチをそれぞれ設け、また箱本体の表示パネル（フロントパネル）には、検相回路の検出結果を表示する正相表示器および逆相表示器と、電圧回路の３個の電圧表示器が設けられて構成されている。また、この電圧・検相器は、逆相を報知するブザー回路が検相回路に設けられている。
【０００３】
この構成により、この電圧・検相器では、箱本体の側面に設けた単相・三相および接地相用の各端子に、各リード線の一端を接続し、これらの各リード線の他端を動力線等の単相または三相の各線路に接続すれば、相間電圧を計れると共に、切替スイッチにより、対地間電圧を測ることができる。また、そのまま、相順を検出でき、また検出した相順が表示パネルに配設された正相表示器、逆相表示器および相回転計に表示されるため、接続した線路が正しく結線されているかが分かる。したがって、この電圧・検相器によれば、線路へのリード線の接続が１回の接続で、単相または三相の電圧が測定できると共に検相が可能となっている。
【先行技術文献】
【特許文献】
【０００４】
【特許文献１】登録実用新案第３１７６１１４号公報（第３−６頁、第１，４図）
【発明の概要】
【発明が解決しようとする課題】
【０００５】
ところが、上記した測定装置（電圧・検相器）には、以下の改善すべき課題が存在する。すなわち、この測定装置では、上記したように、検相の結果を表示させるための正相表示器、逆相表示器および相回転計が、三相の各電圧を表示させるための３つの電圧表示器と共に同じ表示パネルに設けられているため、この測定装置には、表示パネルの面積を広くせざるを得ない結果、測定装置の小型化が難しいという改善すべき課題が存在している。
【０００６】
本発明は、かかる改善すべき課題に鑑みてなされたものであり、三相電路の交流電圧についての相順と電圧値を測定して同時に表示可能としつつ装置の小型化も行い得る測定装置を提供することを主目的とする。
【課題を解決するための手段】
【０００７】
上記目的を達成すべく、請求項１記載の測定装置は、照明可能な表示パネルを有する表示部と、三相電路についての交流電圧を検出して検出信号を出力する検出部と、前記検出信号に基づいて前記交流電圧の電圧値を測定する電圧測定処理および当該測定した電圧値を前記表示パネルに表示させる表示処理を実行する処理部とを備えている測定装置であって、前記表示部は、複数色のうちの前記処理部によって選択された色の照明光で前記表示パネルを照明可能に構成され、前記処理部は、前記検出信号に基づいて前記三相電路の相順を測定する相順測定処理を実行すると共に、前記表示処理において、当該測定した相順が正相のときには前記表示部に対して前記複数色のうちの予め正相に対応付けられた正相色の前記照明光で前記表示パネルを照明させ、前記測定した相順が逆相のときには前記表示部に対して前記複数色のうちの予め逆相に対応付けられた前記正相色とは異なる逆相色で前記表示パネルを照明させる。
【０００８】
また、請求項２記載の測定装置は、ドットマトリクス方式のカラー表示パネルを有する表示部と、三相電路についての交流電圧を検出して検出信号を出力する検出部と、前記検出信号に基づいて前記交流電圧の電圧値を測定する電圧測定処理および当該測定した電圧値を示す画像を前記カラー表示パネルに表示させる表示処理を実行する処理部とを備えている測定装置であって、前記処理部は、前記検出信号に基づいて前記三相電路の相順を測定する相順測定処理を実行すると共に、前記表示処理において、前記カラー表示パネルに表示されている予め規定された画像の色を、前記測定した相順が正相のときには予め正相に対応付けられた正相色で表示させ、前記測定した相順が逆相のときには予め逆相に対応付けられた前記正相色とは異なる逆相色で表示させる。
【０００９】
また、請求項３記載の測定装置は、請求項２記載の測定装置において、前記処理部は、単色の背景画像を前記予め規定された画像とする。
【００１０】
さらに、請求項４記載の測定装置は、請求項１記載の測定装置において、前記処理部は、前記電圧測定処理の実行中は、当該電圧測定処理の実行中を示す記号を、視認し得る周期で前記表示パネルに点滅表示させる。
【００１１】
また、請求項５記載の測定装置は、請求項２または３記載の測定装置において、前記処理部は、前記電圧測定処理の実行中は、当該電圧測定処理の実行中を示す記号の画像を、視認し得る周期で色を変えて前記カラー表示パネルに表示させる。
【発明の効果】
【００１２】
請求項１または２記載の測定装置によれば、従来の測定装置とは異なり、相順を表示させるための表示器を、三相電路についての交流電圧の各電圧値を表示するための表示器とは別体に装置のフロントパネルに配設する必要がなくなるため、フロントパネルの面積を十分に小さくできる結果、三相電路の交流電圧についての電圧値と相順とを同時に表示可能としつつ、装置を十分に小型化することができる。
【００１３】
また、請求項１または３記載の測定装置によれば、表示部全体が、測定した相順に予め対応付けられた色で発光するため、表示部の発光色に基づいて相順を正確かつ容易に把握することができる。また、この測定装置によれば、三相電路の交流電圧についての各電圧値の表示領域の色（表示領域に照射される照明光の色や表示領域の背景画像の色）が相順に予め対応付けられた色に変わるため、使用者が交流電圧の各電圧値を注視せざるを得ない（各電圧値から目を離せない）状況下においても、この表示領域のこの色に基づいて、測定された相順を正確かつ容易に認識することができる。
【００１４】
また、請求項４または５記載の測定装置によれば、電圧測定処理の実行中に、この処理の実行中を示す記号が表示部に認識し得る周期で点滅表示されたり、この処理の実行中を示す記号の画像の色が認識し得る周期で変わるため、測定装置の使用者が、測定装置が正常に測定動作を継続していることを認識することができる。
【図面の簡単な説明】
【００１５】
【図１】測定装置１の構成を示す外観図である。
【図２】測定装置１の構成を示す構成図である。
【図３】表示部７の液晶パネル３１の構成を示す正面図である。
【図４】測定された相順が正相のときの液晶パネル３１の正面図である。
【図５】測定された相順が逆相のときの液晶パネル３１の正面図である。
【発明を実施するための形態】
【００１６】
以下、測定装置の実施の形態について、添付図面を参照して説明する。
【００１７】
まず、測定装置の一例である図１に示す測定装置１の構成について説明する。この測定装置１は、図１に示すように、３つの検出部２，３，４（具体的には、三相電路のうちのＲ相の電路に取り付けられる検出部２、Ｓ相の電路に取り付けられる検出部３およびＴ相の電路に取り付けられる検出部４）と、本体部５と、本体部５内に配設された処理部６（図２参照）と、本体部５の正面に配設された表示部７とを備え、三相電路（Ｒ相、Ｓ相およびＴ相）についての交流電圧（線間電圧ＶＲＳ，ＶＳＴ，ＶＴＲ）および三相電路の相順（正相であるか逆相であるか）を測定して表示可能に構成されている。
【００１８】
検出部２，３，４は、例えば、特開２０１０−２５９１８号公報に開示された公知の電圧検出装置（金属非接触方式の電圧検出装置）を用いてそれぞれ構成されている。各検出部２，３，４は、三相電路を構成するＲ相、Ｓ相およびＴ相の各被覆電線を挟持可能なクリップ形状に電気的絶縁性を有する合成樹脂材料を用いて構成されて、接続ケーブル１１，１２，１３を介して本体部５と接続されている。また、各検出部２，３，４は、図２に示すように、被覆電線の挟持状態においてこの被覆電線の芯線（導体線）と静電容量結合する検出電極（検出部２では検出電極２１ａ，検出部３では検出電極２１ｂ，検出部４では検出電極２１ｃ。以下、特に区別しないときには検出電極２１ともいう）、および検出電極２１に接続されて被覆電線の芯線に生じている交流電圧をリアルタイムで検出してこの交流電圧の波形データ（検出部２ではＲ相の波形データＤｖａ，検出部３ではＳ相の波形データＤｖｂ，検出部４ではＲ相の波形データＤｖｃ。以下、特に区別しないときには波形データＤｖともいう）を検出信号として出力する検出回路部（検出部２では検出回路部２２ａ，検出部３では検出回路部２２ｂ，検出部４では検出回路部２２ｃ。以下、特に区別しないときには検出回路部２２ともいう）を内部に備えている。
【００１９】
本体部５は、例えば、電気的絶縁性を有する合成樹脂材料を用いて外形がほぼ直方体の箱体に形成されている。また。本体部５の内部には、処理部６および不図示の電池（測定装置１を構成する検出部２，３，４、処理部６および表示部７に作動用電圧を供給する電源）が配置されている。また、本体部５の正面側に位置する壁面（フロントパネル）には、表示部７が配設されている。
【００２０】
処理部６は、一例として、ＣＰＵおよびメモリ（いずれも図示せず）で構成されて、検出部２，３，４から出力される各波形データＤｖに基づいて、線間電圧ＶＲＳ，ＶＳＴ，ＶＴＲを測定（算出）する電圧測定処理および三相電路の相順を測定する相順測定処理を実行する。この場合、処理部６は、電圧測定処理では、例えば、特開２０１０−２５９１８号公報に開示された公知の手法を用いることで、各波形データＤｖから線間電圧ＶＲＳ，ＶＳＴ，ＶＴＲを測定（算出）することができ、また相順測定処理では、例えば、特開２００６−３０１４９号公報に開示された公知の手法を用いることで、相順を測定することができる。
【００２１】
また、処理部６は、測定した線間電圧ＶＲＳ，ＶＳＴ，ＶＴＲおよび相順を表示部７に表示情報として出力して表示部７に表示させる表示処理を実行する。また、処理部６は、表示処理において、後述するように表示部７の一部を構成すると共に複数色で発光可能な後述の光源３２（バックライト３２）に対して、測定した相順が正相のときには複数色のうちの予め正相に対応付けられた色（１色）である正相色を選択してこの正相色で発光させ、測定した相順が逆相のときには複数色のうちの予め逆相に対応付けられた正相色とは異なる色（１色）である逆相色を選択してこの逆相色で発光させる制御を実行する。この場合、処理部６は、表示処理において、発光させる色を指定する色情報を表示部７に出力することで、この色情報で指定した色にバックライト３２を発光させる。
【００２２】
表示部７は、例えば、図２に示すように、表示面に情報を表示させる表示パネルとしての１つの液晶パネル３１、液晶パネル３１の表示面に照明光を照射可能な光源３２（この例では一例としてバックライト。以下、バックライト３２ともいう）、および液晶パネル３１を駆動して後述する処理部６から入力した表示情報（線間電圧ＶＲＳ，ＶＳＴ，ＶＴＲおよび相順）を液晶パネル３１に表示させると共に処理部６から入力した色情報で指定された色でバックライト３２を発光させる不図示の駆動回路を備えている。つまり、表示部７は、光源（バックライト）３２からの照射光で照明可能な液晶パネル３１を有する構成となっている。
【００２３】
具体的には、液晶パネル３１は、図３に示すように、線間電圧ＶＲＳ，ＶＳＴ，ＶＴＲおよび相順の各表示情報を表示させるために必要な複数のセグメントが予め規定された形状でかつ予め規定された位置に配置されて構成されている。この液晶パネル３１では、駆動回路が、処理部６から入力した表示情報に基づき、複数のセグメントのうちの必要なセグメントを表示状態に駆動し、かつ不必要なセグメントを非表示状態に駆動することで、この表示情報を表示面に表示させる。なお、この例では、液晶パネル３１はこのようにセグメント方式の表示パネルで構成されているが、ドットマトリクス方式の表示パネル（モノクロの表示パネル）で構成されていてもよい。
【００２４】
バックライト３２は、複数色で発光可能に構成されている。この液晶パネル３１では、駆動回路が、処理部６から入力した色情報に基づき、複数色のうちのこの色情報で指定された色でバックライト３２を発光させる。本例では一例として、バックライト３２は、正相色としての緑色およびこの正相色とは異なる逆相色としての赤色の２色で発光可能に構成されている。なお、正相色および逆相色は、上記の色に限定されず、互いに異なる色である限り、青色と橙色、白色と赤色など、任意の色の組み合わせとすることができる。また、バックライト３２には、エッジライト方式（サイドライト方式または導光板方式ともいう）のものや、直下型方式のものが含まれるものとする。なお、本例では、液晶パネル３１の表示面に裏側から照明光を照射するバックライト３２を光源３２として用いる構成を採用しているが、バックライトに代えて、液晶パネル３１の表示面の表側から照明光を照射するフロントライトを用いる構成を採用することもできる。
【００２５】
次に、測定装置１の動作について説明する。なお、検出部２は、対応するＲ相の被覆電線を挟持する状態でこの被覆電線に取り付けられ、検出部３は、対応するＳ相の被覆電線を挟持する状態でこの被覆電線に取り付けられ、かつ検出部４は、対応するＴ相の被覆電線を挟持する状態でこの被覆電線に取り付けられているものとする。
【００２６】
この状態において、測定装置１では、検出部２，３，４が、対応する被覆電線の芯線に生じている交流電圧を検出すると共に、この交流電圧の波形データＤｖａ，Ｄｖｂ，Ｄｖｃを検出信号として、接続ケーブル１１，１２，１３を介して本体部５内の処理部６に出力する。
【００２７】
処理部６は、例えば、検出部２，３，４から出力される波形データＤｖａ，Ｄｖｂ，Ｄｖｃを取得して記憶させつつ（例えば、相順の測定に必要な直近の規定数ずつ記憶させつつ）、記憶されている各波形データＤｖａ，Ｄｖｂ，Ｄｖｃに基づいて電圧測定処理および相順測定処理を予め規定された周期（例えば、表示部７の表示更新周期と同じ周期）で実行して、線間電圧ＶＲＳ，ＶＳＴ，ＶＴＲおよび相順を測定（算出）する。
【００２８】
また、処理部６は、線間電圧ＶＲＳ，ＶＳＴ，ＶＴＲおよび相順を測定する都度、これらを表示情報として表示部７に出力する表示処理を実行する。また、処理部６は、この表示処理において、測定した相順に対応する色（測定した相順が正相のときには正相色であり、逆相のときには逆相色）を指定する色情報を、表示情報と共に表示部７に出力する。
【００２９】
表示部７では、駆動回路が、処理部６から入力した表示情報に基づき、複数のセグメントのうちの必要なセグメントを表示状態に駆動し、かつ不必要なセグメントを非表示状態に駆動することで、この表示情報（線間電圧ＶＲＳ，ＶＳＴ，ＶＴＲおよび相順）を表示面に表示させると共に、処理部６から入力した色情報に基づき、この色情報で指定された色でバックライト３２を発光させる。また、この例では、図３〜５に示すように、液晶パネル３１の表示面には、液晶パネル３１の表示面における各数字４１，４２，４３の左側に、各数字４１，４２，４３が対応する線間電圧ＶＲＳ，ＶＳＴ，ＶＴＲの各電圧値であることを示す文字「ＶＲＳ」，「ＶＳＴ」，「ＶＴＲ」と共に交流電圧であることを示す記号「〜」が表示される。
【００３０】
この構成により、測定装置１では、測定した相順が正相のとき（Ｒ相→Ｓ相→Ｔ相の順に相が回転しているとき）には、例えば、図４に示すように、線間電圧ＶＲＳ，ＶＳＴ，ＶＴＲの各電圧値を示す数字４１，４２，４３と共に、相順が正相であることを示す情報（本例では一例として、「Ｒ」，「Ｓ」，「Ｔ」の各文字に近接して配置されて、Ｒ相→Ｓ相→Ｔ相の順に相が回転していることを示すために、文字「Ｒ」から文字「Ｔ」に向かう向きで表示された矢印記号４４）が液晶パネル３１の表示面に表示される。また、バックライト３２が正相色である緑色で発光するため、液晶パネル３１の表示面は、この緑色で照明される（緑色に光る）。
【００３１】
一方、測定装置１では、測定した相順が逆相のとき（Ｔ相→Ｓ相→Ｒ相の順に相が回転しているとき）には、例えば、図５に示すように、線間電圧ＶＲＳ，ＶＳＴ，ＶＴＲの各電圧値を示す数字４１，４２，４３と共に、相順が逆相であることを示す情報（「Ｒ」，「Ｓ」，「Ｔ」の各文字に近接して配置されて、Ｔ相→Ｓ相→Ｒ相の順に相が回転していることを示すために、文字「Ｔ」から文字「Ｒ」に向かう向きで表示された矢印記号４４）が液晶パネル３１の表示面に表示される。また、バックライト３２が逆相色である赤色で発光するため、液晶パネル３１の表示面は、この赤色で照明される（赤色に光る）。
【００３２】
これにより、測定装置１の使用者は、線間電圧ＶＲＳ，ＶＳＴ，ＶＴＲの各電圧値を示す数字４１，４２，４３と共に液晶パネル３１の表示面に表示されている矢印記号４４の向きを視認することにより、線間電圧ＶＲＳ，ＶＳＴ，ＶＴＲの各電圧値および相順（正相であるか逆相であるか）を把握することが可能となっている。また、測定装置１の使用者は、矢印記号４４の向きを視認できない場合（例えば、使用者が本体部５から離れていて矢印記号４４の向きを判読できない場合など）であっても、液晶パネル３１の表示面の発光色（照射光の色）を視認し、視認した発光色が正相色の緑色であるか逆相色の赤色であるかに基づいて、相順を確実かつ容易に把握することが可能となっている。
【００３３】
このように、この測定装置１では、表示部７が複数色（本例では一例として緑色と赤色の２色）のうちの処理部６によって選択された色の照明光で照明可能な液晶パネル３１を有し、処理部６は、表示処理において、表示部７に対して、相順測定処理で測定した相順が正相のときには正相に対応付けられた正相色（本例では緑色）の照明光で線間電圧ＶＲＳ，ＶＳＴ，ＶＴＲの各電圧値（数字４１，４２，４３）が表示されている液晶パネル３１を照明させ、測定した相順が逆相のときには逆相に対応付けられた正相色とは異なる逆相色（赤色）の照明光で線間電圧ＶＲＳ，ＶＳＴ，ＶＴＲの各電圧値（数字４１，４２，４３）が表示されている液晶パネル３１を照明させる。
【００３４】
しがたって、この測定装置１によれば、従来の測定装置とは異なり、相順を表示させるための表示器（従来の測定装置での正相表示器、逆相表示器および相回転計）を、線間電圧ＶＲＳ，ＶＳＴ，ＶＴＲの各電圧値（数字４１，４２，４３）を表示するための表示器とは別体に装置のフロントパネルに配設する必要がなくなるため、図１に示すようにフロントパネルの面積を十分に小さくできる結果、三相電路の交流電圧についての電圧値と相順とを同時に表示可能としつつ、装置を十分に小型化することができる。
【００３５】
また、この測定装置１によれば、液晶パネル３１全体が、測定した相順に予め対応付けられた色で発光する（照明される）ため、上記したように測定装置１の使用者が矢印記号４４の向きを視認できない場合であっても、液晶パネル３１の表示面の発光色に基づいて相順を正確かつ容易に把握することができる。また、この測定装置１によれば、線間電圧ＶＲＳ，ＶＳＴ，ＶＴＲの各電圧値（数字４１，４２，４３）の表示領域への照明光の色が相順に予め対応付けられた色に変わるため、測定装置１の使用者が線間電圧ＶＲＳ，ＶＳＴ，ＶＴＲの各電圧値を注視せざるを得ない（各電圧値から目を離せない）状況下、つまり相順を示す矢印記号４４に視線を移すことができない状況下においても、この表示領域への照明光の色に基づいて、測定された相順を正確かつ容易に認識することができる。
【００３６】
このため、この測定装置１では、測定した線間電圧ＶＲＳ，ＶＳＴ，ＶＴＲの各電圧値（数字４１，４２，４３）と共に測定した相順を示す表示（この例では矢印記号４４）を表示させる上記の構成に代えて、線間電圧ＶＲＳ，ＶＳＴ，ＶＴＲの各電圧値および相順を示す表示（この例では矢印記号４４）のうちの線間電圧ＶＲＳ，ＶＳＴ，ＶＴＲの各電圧値だけを液晶パネル３１の表示面に表示させるという、より簡易な構成を採用することもできる。そして、この簡易な構成であっても、液晶パネル３１の表示面の発光色（液晶パネル３１への照明光の色）に基づいて相順を認識できることから、相順を示す矢印記号４４を表示させる構成と同様の効果を奏することができる。
【００３７】
なお、上記の表示部７では、セグメント方式のパネルやドットマトリクス方式のモノクロの表示パネルで構成された液晶パネル３１を用い、光源３２からこの液晶パネル３１の表示面に照射される照射光の色を変えることで表示面の発光色を正相色や逆相色に変更する構成を採用しているが、図示はしないが、ドットマトリクス方式のカラー表示パネルを用いて表示部７を構成することもできる。この構成を採用した測定装置では、処理部は、カラー表示パネルに表示される表示情報（線間電圧ＶＲＳ，ＶＳＴ，ＶＴＲおよび相順）を示す文字や数値や記号の画像の色、および背景画像（この文字や数値や記号の画像を構成しているドット以外のドットで構成される画像）の色を任意の色で表示させることが可能となっている。
【００３８】
このため、この構成の測定装置では、表示処理において、カラー表示パネルに表示されている予め規定された画像の色を、測定した相順が正相のときには正相色で表示させ、測定した相順が逆相のときには逆相色で表示させる構成を採用することができる。この場合、正相色で表示させたり、逆相色で表示させりする予め規定された画像としては、上記した各画像（文字や数値や記号の画像、および背景画像（単色の背景画像が好ましい））のうちの予め規定された１つの画像とするのが好ましい。
【００３９】
この測定装置においても、上記したバックライト３２を有する測定装置１と同様にして、相順を表示させるための表示器（従来の測定装置での正相表示器、逆相表示器および相回転計）を、線間電圧ＶＲＳ，ＶＳＴ，ＶＴＲの各電圧値（数字４１，４２，４３）を表示するための表示器とは別体に装置のフロントパネルに配設する必要がなくなるため、三相電路の交流電圧についての電圧値と相順とを同時に表示可能としつつ、装置を十分に小型化することができる。
【００４０】
また、特に、背景画像（単色の背景画像）を予め規定された画像とする構成の測定装置によれば、液晶パネル全体の背景色が、測定した相順に予め対応付けられた色で表示されるため、液晶パネルに表示される相順を示す記号（例えば、測定装置１と同様の矢印記号４４の向き）を視認できない場合であっても、液晶パネルの背景色に基づいて相順を正確かつ容易に把握することができる。また、この測定装置によれば、線間電圧の各電圧値の表示領域の背景色が相順に予め対応付けられた色に変わるため、測定装置の使用者が線間電圧の各電圧値を注視せざるを得ない状況下においても、この表示領域の背景色に基づいて、測定された相順を正確かつ容易に認識することができる。
【００４１】
また、上記の各測定装置では、液晶パネルに表示されている線間電圧の各電圧値や相順を示す矢印記号は、処理部により、表示更新の周期で最新の内容に更新されている。このため、測定装置の使用者は、例えば、表示されている各電圧値が多少でも変化しているとき（表示更新の周期で変化しているとき）には、この表示状態に基づいて、測定装置が正常に測定動作を継続していることを認識することが可能である。しかしながら、例えば、線間電圧の各電圧値が安定しているときには、液晶パネルには、各電圧値として同じ数値が連続して表示される。このような表示状態のときには、表示されている各電圧値が変化していないため、測定装置の使用者は、測定装置が正常に測定動作を継続していないのではないかとの不安を抱く場合がある。
【００４２】
そこで、このような不安を使用者に抱かせることを解消すべく、上記の各測定装置のうちの測定装置１においては、処理部６が電圧測定処理を正常に実行しているときには、電圧測定処理の実行中を示す記号を、使用者が視認し得る周期で液晶パネル３１に点滅表示させる構成を採用するのが好ましい。この場合、電圧測定処理の実行中を示す記号は専用の記号でもよいが、既存の記号（例えば、図３〜図５中の「〜」の記号、「Ｖ」の記号や「ＶＲＳ」などの記号）を点滅表示させる構成を採用することもできるし、各電圧値（数字４１，４２，４３）の数字を点滅表示させる構成を採用することもできる。この際に、測定装置が、処理部６による電圧測定処理での各電圧値の測定周期を使用者が任意に設定可能な構成を採用しているときには、処理部６がこの設定された測定周期の長短に応じてこの記号の点滅表示の周期を長短させる構成（測定周期が長いときには点滅表示の周期を長くし、測定周期が短いときには点滅表示の周期を短くする構成）を採用することもできる。この構成によれば、記号の点滅表示の周期の長短を視認することで、測定周期の長短を確認することができる。
【００４３】
また、上記の各測定装置のうちのカラー表示パネルを有する測定装置においては、処理部が、電圧測定処理を正常に実行しているときには、この電圧測定処理の実行中を示す記号（上記の測定装置１のときと同じ記号）の画像を、視認し得る周期で色を変えて（例えば、複数の色を順番に変えて（２つの色の場合には各色を交互に変えて））カラー表示パネルに表示させる構成を採用するのが好ましい。また、この構成において、色を変える周期を上記のようにして長くしたり短くしたりすることもできる。
【００４４】
また、上記の各測定装置では、各検出部２，３，４を金属非接触方式の電圧検出装置で構成しているが、これに限定されず、対応する相の被覆電線の芯線（導体線）に各検出部２，３，４を直接接続（金属同士を接触させての接続）する構成を採用した測定装置においても、この構成以外の構成を上記した各測定装置と同じ構成とすることにより、同様の効果を奏することができる。
【符号の説明】
【００４５】
１  測定装置
２，３，４  検出部
６  処理部
７  表示部
３１  液晶パネル
３２  バックライト
Ｄｖａ，Ｄｖｂ，Ｄｖｃ  波形データ
【図１】
2017133914.tif 000003
【図２】
2017133914.tif 000004
【図３】
2017133914.tif 000005
【図４】
2017133914.tif 000006
【図５】
2017133914.tif 000007